(57)【特許請求の範囲】
【請求項１】
助成金・補助金を受けたい受給者と、前記受給者に商品又はサービスを提供する提供者とをマッチングするマッチングサーバーを用いたマッチングシステムであって、
前記マッチングサーバーは、
助成金・補助金の情報を含む助成金・補助金データベースと、
提供者が提供する商品又はサービスを含む提供者の企業情報を登録した会員データベースと、
前記受給者の端末から入力された、前記受給者の企業情報と、前記受給者が助成金・補助金を活用したい商品又はサービスとを含む入力情報に基づいて、前記助成金・補助金データベースから該当する助成金・補助金の有無を診断する診断部と、
前記会員データベースから、前記入力情報に含まれる商品又はサービスにマッチする商品又はサービスを提供する提供者を、検索する検索部と、
前記診断に該当する助成金・補助金の情報と、前記検索でマッチした提供者の情報と、を前記受給者の端末又は電子メールへ出力する出力部と、
を備えるマッチングシステム。
【請求項２】
前記助成金・補助金の情報は、内容、金額及び受給条件を含む、
請求項１に記載のマッチングシステム。
【請求項３】
前記出力部は、前記受給者が助成金・補助金を活用したい商品又はサービスのジャンルを選択するジャンル選択画面と、前記検索でマッチした提供者の候補が掲載される提供者画面と、を前記受給者の端末のディスプレイに表示する、
請求項１又は請求項２に記載のマッチングシステム。
【請求項４】
前記提供者画面は、前記提供者へメッセージを送信可能な送信画面を有し、
前記出力部は、前記送信画面に入力されたメッセージを前記提供者の端末へ送信する、
請求項３に記載のマッチングシステム。
【請求項５】
前記マッチングサーバーは、前記提供者へ送信したメッセージを管理する管理部を備え、
前記出力部は、前記管理部が管理するメッセージ管理画面を前記受給者又は前記提供者の端末のディスプレイに表示し、
前記メッセージ管理画面は、前記メッセージに対する履歴、メッセージを送付する画面及び前記メッセージを削除する画面の少なくとも一つを含む、
請求項４に記載のマッチングシステム。
【請求項６】
前記出力部は、前記受給者及び前記検索でマッチした提供者の少なくとも一方に、他方を紹介する紹介状を送付する、
請求項１から請求項５のいずれか１項に記載のマッチングシステム。
【請求項７】
前記マッチングサーバーは、前記受給者の端末と前記提供者の端末とにネットワークを介して接続される、
請求項１から請求項６のいずれか１項に記載のマッチングシステム。
【請求項８】
前記検索部は、前記受給者と前記検索でマッチした提供者とのマッチング度を判定する、
請求項１から請求項７のいずれか１項に記載のマッチングシステム。
【請求項９】
前記検索部は、会社規模、所在地、従業員数、資本金の金額、取り扱い商品又はサービス及び過去の助成金・補助金の取り扱い件数のうちの少なくとも一つの企業情報を用いて前記マッチング度を判定する、
請求項８に記載のマッチングシステム。
【請求項１０】
助成金・補助金を受けたい受給者と、前記受給者に商品又はサービスを提供する提供者とをマッチングするマッチングサーバーを用いたマッチング方法であって、
前記マッチングサーバーは、
前記受給者の企業情報と、前記受給者が助成金・補助金を活用したい商品又はサービスとを含む入力情報に基づいて、成金・補助金の情報を含む助成金・補助金データベースから該当する助成金・補助金の有無を診断する診断ステップと、
前記入力情報に基づいて、提供者が提供する商品又はサービスを含む提供者の企業情報を登録した会員データベースから、前記入力情報に含まれる商品又はサービスにマッチする商品又はサービスを提供する提供者を検索する検索ステップと、
前記診断ステップで該当した助成金・補助金の情報と、前記検索ステップでマッチした提供者の情報と、を前記受給者の端末又は電子メールへ出力する出力ステップと、
を実行するマッチング方法。
【発明の詳細な説明】
【技術分野】
【０００１】
本発明は、マッチングシステム及びマッチング方法に関するものである。
【背景技術】
【０００２】
従来、助成金、補助金を受給しようとする企業では、担当者が労働省の出先機関等に足を運んで相談したり、労働省が編集する補助金、助成金に関するパンフレット等を参照したりして、どのような助成金、補助金があるのか、給付を受けられる企業であるのか、受給額はどれぐらいなのか等を調査した上で、給付に必要な手続、申請を行っていた。このような問題を解決するものとして、特許文献１の助成金・補助金診断システムでは、助成金、補助金診断プログラムによって、補助金、助成金に関する診断結果を情報利用者に提供する。これにより、担当者にかかる時間と労力を極力軽減し、入手した情報を正確に記録して、常に最新の情報を入手することができ、正確な判断をすることができるものが提案されている。
【０００３】
特許文献２の助成金活用コンサルティングシステムでは、情報取得手段によって取得した情報に含まれる質問事項に対する回答情報を、助成金の受給を受けるために必要な条件に関する情報と比較し、受給申請可能な助成金に関する情報をデータベースから取得する情報検索手段によって取得し、これを情報出力手段から出力する。これにより、助成金の申請を検討している企業が、複数の助成金の中で、自己の企業実体の下で受給申請可能な助成金が何であるか簡単に判定を受けることができ、更に、判定において受給申請可能とされた助成金に関する詳細な情報を簡単に入手できる。
【先行技術文献】
【特許文献】
【０００４】
【特許文献１】特開２００１−２１６４２６号公報
【特許文献２】特開２００２−１１７１８９号公報
【発明の概要】
【発明が解決しようとする課題】
【０００５】
しかしながら、特許文献１及び特許文献２に記載の技術では、受けることが可能な助成金・補助金を見つけることができるものの、この助成金・補助金を使った商品やサービスを提供することができる業者を別途見つけなければならないという問題があった。
【０００６】
本発明は、上記事情に鑑みてなされたものであり、助成金・補助金を受けたい者と、この補助金・助成金を使って商品又はサービスを提供することができる者をマッチングさせることができるマッチングシステム及びマッチング方法を提供することを目的とする。
【課題を解決するための手段】
【０００７】
上記目的を達成するために、以下の構成によって把握される。
本発明の第１の態様は、助成金・補助金を受けたい者と、前記助成金・補助金を受けたい者に商品又はサービスを提供する提供者とをマッチングするマッチングシステムであって、前記助成金・補助金を受けたい者の入力情報に基づいて、該当する助成金・補助金を診断する診断部と、前記診断部による診断結果に応じて、前記助成金・補助金を受けて商品又はサービスを提供する提供者を検索する検索部と、前記検索部による検索結果に応じて、前記助成金・補助金の情報と、前記助成金・補助金を受けて商品又はサービスを提供する提供者の情報を前記助成金・補助金を受けたい者へ出力する出力部と、を備える。
【０００８】
（２）上記（１）の構成において、前記助成金・補助金の情報の提供を受けたい会員の情報を有する会員データベースを備え、前記検索部は、前記会員データベースを検索して前記助成金・補助金を受けて商品又はサービスを提供する前記提供者を検索する。
【０００９】
（３）上記（１）又は（２）の構成において、前記出力部は、前記助成金・補助金を受けたい者がジャンルを選択するジャンル選択画面をディスプレイに表示し、前記検索部は、前記ジャンル選択画面より選択されたジャンルに応じて、前記マッチング先となる前記提供者を検索し、前記出力部は、前記マッチング先となる前記提供者の候補が掲載される提供者画面を表示する。
【００１０】
（４）上記（３）の構成において、前記提供者画面は、前記提供者へメッセージを送信可能な画面を有し、前記出力部は、前記画面に入力されたメッセージを前記提供者へ送信する。
【００１１】
（５）上記（４）の構成において、前記提供者へ送信したメッセージを管理する管理部を有し、前記出力部は、前記管理部が管理するメッセージ管理画面を表示し、
前記メッセージ管理画面は、前記メッセージに対する履歴、メッセージを送付する画面及び前記メッセージを削除する画面の少なくとも一つを含む。
【００１２】
（６）上記（１）から（５）のいずれかの構成において、前記助成金・補助金を受けたい者及び前記助成金・補助金を受けたい者に商品又はサービスを提供する前記提供者の少なくとも一方に、他方を紹介する紹介状を送付する。
（７）上記（１）から（６）のいずれかの構成において、前記診断部は、前記助成金・補助金を受けたい者に対して活用診断テストを実行し、前記活用診断テストの入力結果を前記入力情報とする。
【００１３】
（８）上記（１）から（７）のいずれかの構成において、前記検索部は、前記助成金・補助金を受けたい者と前記助成金・補助金を受けたい者に対して前記商品又はサービスを提供する提供者とのマッチング度を判定し、前記判定したマッチング度に応じて前記助成金・補助金を受けて商品又はサービスを提供する者を検索する。
（９）上記（８）の構成において、前記検索部は、会社規模、所在地、従業員数、資本金の金額、取扱商品又はサービス及び過去の助成金・補助金の取り扱い件数のうちの少なくとも一つを用いて前記マッチング度を判定する。
【００１４】
（１０）本発明の第２の態様は、助成金・補助金を受けたい者と、前記助成金・補助金を受けたい者に商品又はサービスを提供する提供者とをマッチングするマッチング方法であって、前記助成金・補助金を受けたい者の入力情報に基づいて、該当する助成金・補助金を診断する診断ステップと、前記診断ステップによる診断結果に応じて、前記助成金・補助金を受けて商品又はサービスを提供する提供者を検索する検索ステップと、前記検索ステップによる検索結果に応じて、前記助成金・補助金の情報と、前記助成金・補助金を受けて商品又はサービスを提供する提供者の情報を前記助成金・補助金を受けたい者へ出力する出力ステップと、を含むマッチング方法を提供する。
【発明の効果】
【００１５】
本発明によれば、助成金・補助金を受けたい者と、この補助金・助成金を使って商品又はサービスを提供することができる提供者をマッチングさせることができるマッチングシステム及びマッチング方法を提供することができる。
【図面の簡単な説明】
【００１６】
【図１】本発明の実施形態に係るマッチングシステムの概略図である。
【図２】本発明の実施形態に係るマッチングサーバーシステムのブロック図である。
【図３】会員テーブルの一例を示す図である。
【図４】（ａ）は会員登録画面、（ｂ）は活用診断テストの画面、（ｃ）は診断結果からオススメする助成金・補助金の画面を示す図である。
【図５】活用診断テストの他の例について説明する図である。
【図６】助成金・補助金の活用診断テストの入力結果を説明する図である。
【図７】助成金・補助金の診断結果を示す図である。
【図８】助成金・補助金を受けたい者への案内を示す図である。
【図９】本発明の実施形態に係るマッチング方法のフローチャートである。
【図１０】（ａ）は、ジャンル一覧画面、（ｂ）は企業一覧画面をそれぞれ示す図である。
【図１１】メッセージ送信画面及びメッセージ管理画面を示す図である。
【図１２】メッセージ送信画面を示す図である。
【発明を実施するための形態】
【００１７】
以下、図面を参照して本発明を実施するための形態（以下、実施形態）について詳細に説明する。なお、実施形態の説明の全体を通して同じ要素には同じ符号が付される。
【００１８】
図１は、本発明の実施形態に係るマッチングシステムの概略図である。
図１に示すように、マッチングシステム１は、助成金・補助金を受けたい者と、助成金・補助金を受けたい者に商品又はサービスを提供する提供者とをマッチングするためのものであって、利用者端末１０と、利用者端末１１と、マッチングサーバー２０とによって構成されている。
ここで、助成金・補助金というときは、助成金及び補助金の両方を意味するときと、補助金及び補助金の一方のみを意味することがある。
【００１９】
利用者端末１０は、助成金・補助金を受けたい者（企業）が利用する端末であって、パーソナルコンピュータ、タブレット端末又はスマートフォン等によって構成されている。助成金・補助金を受けたい者は、利用者端末１０を操作して会員となるための登録手続きを行い、また、助成金・補助金を受けるための診断を行うために助成金・補助金の活用診断テストに対する情報を入力し、この活用診断テストの入力情報に基づいて、助成金・補助金を受けるための診断結果を受け取り、助成金・補助金を受けることができるかどうかを知ることができる。さらに、利用者端末１０では、助成金・補助金の診断結果の他に、マッチング結果によって助成金・補助金を利用して商品又はサービスを提供する提供者を紹介してもらえるという新たなサービスが提供される。
【００２０】
利用者端末１１は、助成金・補助金を受けたい者に対して、商品又はサービスを提供したい者（企業）が利用する端末であって、パーソナルコンピュータ、タブレット端末又はスマートフォン等によって構成されている。助成金・補助金を利用して商品又はサービスを提供する者は、利用者端末１１を操作して会員となるための登録手続きを行うとともに、マッチングによって助成金・補助金を受ける者を紹介され、紹介を受けた者に対して自己の商品又はサービスを提供するよう営業を行うことができる。
【００２１】
マッチングサーバー２０は、助成金・補助金を受けたい者と、助成金・補助金を受けたい者に商品又はサービスを提供する提供者とにマッチングを実行する。このマッチングサーバー２０は、利用者端末１０から入力された助成金・補助金の活用診断テストの情報が入力されると、会員データベース２１に登録されているデータを検索して、マッチングの診断を行い、マッチングの診断結果を利用者端末１０と利用者端末１１へ送信する。
【００２２】
図２は、本発明の実施形態に係るマッチングサーバーのブロック図である。
図２に示すように、マッチングサーバー２０は、会員データベース２１と、助成金・補助金データベース２２、マッチングデータベース（管理部）２３、診断部２４と、検索部２５と、出力部２６と、入力部２７とを備えている。
【００２３】
会員データベース２１は、会員テーブル２１ａを有し、定期的に助成金・補助金の情報の提供を受けたい会員の企業情報を有する。
図３は、会員テーブル２１ａの一例を示す図である。図３に示すように、会員データベース２１には、会員ＩＤ、会社名、住所、電話番号、メールアドレス、企業規模、資本金、従業員数、助成金を探している否かの情報、自社商材を紹介したいか否かの情報、助成金を受けたい種類の内容、自社商材の内容などがあらかじめ登録されている。
【００２４】
助成金・補助金データベース２２には、対象となる助成金・補助金の内容、補助金を受けるための条件、助成金・補助金の募集期間、助成金・補助金の額等が多数蓄積されており、新しい助成金・補助金の情報も随時蓄積される。
【００２５】
マッチングデータベース２３は、マッチングテーブル２３ａと、メッセージ管理テーブル２３ｂを有する。マッチングテーブル２３ａは、マッチングに必要な各種のデータを有し、会社ロゴ、照会文等も有している。メッセージ管理テーブル２３ｂは、マッチングに際してやり取りしたメッセージを保存し、管理している。
【００２６】
診断部２４は、利用者端末１０からの助成金・補助金を受けたい者の入力情報に基づいて、該当する助成金・補助金を有するか否かを診断する。診断部２４は、利用者端末１０を操作する助成金・補助金を受けたい者に対して活用診断テストを実行し、活用診断テストに対して回答していくと、これが入力情報となる。
【００２７】
検索部２５は、診断部２４による診断結果に応じて、会員データベース２１を検索して助成金・補助金を受けて商品又はサービスを提供する提供者を検索する。
出力部２６は、検索部２５による検索結果に応じて、助成金・補助金の情報と、助成金・補助金を受けて商品又はサービスを提供する提供者の情報を助成金・補助金を受けたい者へ提供する。出力部２６は、助成金・補助金を受けたい者に対して、助成金・補助金の情報と、助成金・補助金を受けて商品又はサービスを提供する提供者の情報を提供したことを通知する。
【００２８】
図４（ａ）は会員登録画面を示す図である。図４（ａ）に示すように、会員登録画面Ｄ１には、「サイトを知ったきっかけ」、「業種」、「会員種別」、「マッチングサービス」、「会社名」、「会社名かな」、「支店名」の項目を有する。新規会員は、この会員登録画面Ｄ１の各項目に入力することにより会員登録を行うことができる。
【００２９】
図４（ｂ）は活用診断テストの画面である。図４（ｂ）に示すように、補助金・助成金活用診断画面Ｄ２は、「人を雇いたい」、「福利厚生を厚くしたい」、「研究開発をしたい」、「ホームページ／ＩＴツールを導入したい」、「創業したい、新店舗、新事務所をかまえたい」、「移転をしたい」、「社員研修したい」、「設備を新たに導入したい」の項目を有する。補助金・助成金活用診断画面Ｄ２の各項目に対して回答することにより診断結果からオススメする助成金・補助金の画面Ｄ３が表示される（図４（ｃ）参照）。
【００３０】
図５は、活用診断テストの他の例について説明する図である。
図５に示すように、活用診断テストは、大項目と大項目より下位概念となる小項目からなり、利用者端末１０から活用診断テストの回答を選択することにより、活用診断テストを実行することができる。
活用診断テストの大項目として、例えば、「１．人を雇いたい」、「２．福利厚生を厚くしたい」、「３．研究開発をしたい」、「４．ホームページ／ＩＴツールを導入したい」、「５．創業したい新店舗」、「新事務所をかまえたい」、「６．移転をしたい」、「７．社員研修したい」、「８．設備を新たに導入したい」、「９．事業承継を検討している」、「１０．内装を新しくしたい」、「１１．働き方改革／女性活躍に取り組みたい」、「１２．テレワーク・ＢＰＯを導入したい」、「１３．地方創生に取り組みたい」、「１４．インバウンド対応したい」、「１５．海外進出したい」、「１６．防災・セキュリティを強化したい」、「１７．ＡＩ・ＩｏＴ・ロボットを導入したい」、「１８．自社の商材を拡販したい」、「１９．今までになにか申請をしたことがある」、「２０．ちゃんと採択されたことがある」、「２１．ふだんから助成金に興味がある」、「２２．お客さんに助成金を教えたい」、「２３．会社の規模は」、「２４．申請する都道府県は」、「２５．あなたの役職は」、「２６．業種分類（大分類、中分類、小分類）」などがある。
診断活用テストの小項目は、大項目の一例に対して図４に示す通りである。
【００３１】
図６は、助成金・補助金の活用診断テストの入力結果を説明する図である。
図６に示すように、活用診断テストの入力結果（入力情報）には、Ｑ１〜Ｑ２２の質問の大項目に回答し、さらに各大項目に対して利用者が選択肢を選択することにより、大項目と小項目の回答が得られる。図５の入力結果は、出力部２６によって電子メールで配信される。
【００３２】
図７は、助成金・補助金を受けたい者へ送る補助金・助成金の診断結果を示す図である。
この診断結果は、出力部２６によって電子メールで配信される。この診断結果には、（１）助成金・補助金を受けたい者の情報、（２）オススメの商材、（３）商品又はサービスを提供可能な会社の情報、（４）おすすめの助成金・補助金の情報が含まれている。
【００３３】
（１）の「助成金・補助金を受けたい者」は、利用者端末１０を操作し、助成金・補助金を受けたい利用者である。
（２）の「オススメの商材」は、マッチングサーバー２０側がおすすめするサービスである。
（３）の「商品又はサービスを提供可能な会社の情報」は、利用者端末１１を利用し、助成金・助成金を利用して商品又はサービスを提供する会社の情報である。
利用者端末１０の利用者は、この情報を知ることで、助成金・補助金を利用して商品又はサービスを提供する者の候補を知ることができる。
（４）の「おすすめの助成金・補助金」は、活用診断テストの診断の結果、該当する助成金・補助金の情報である。
図６では、活用診断テストの結果、１４個の助成金・補助金が対象となることがわかる。
【００３４】
図８は、商品又はサービスを提供したい者への案内を示す図である。
図８に示すように、商品又はサービスを提供する提供者への案内には、（１）商品又はサービスを提供可能な会社の情報、（２）助成金・補助金を受けたい者の情報、（３）紹介した助成金・補助金の情報が含まれる。
【００３５】
（１）の「商品又はサービスを提供可能な会社の情報」は、利用者端末１１を利用し、助成金・助成金を利用して商品又はサービスを提供する会社の情報である。
（２）の「助成金・補助金を受けたい者の情報」は、利用者端末１０を操作し、助成金・補助金を受けたい利用者である。
（３）の「紹介した助成金・補助金の情報」は、活用診断テストの結果、該当する助成金・補助金の情報である。
助成金・助成金を利用して商品又はサービスを提供する会社は、これら（１）〜（３）の情報を利用して自社の商材を営業することができる。
【００３６】
次に、本発明の実施形態に係るマッチング方法について説明する。
図９は、本発明の実施形態に係るマッチング方法のフローチャートである。
マッチング方法は、助成金・補助金を受けたい者と、助成金・補助金を受けたい者に商品又はサービスを提供する提供者とをマッチングする。
【００３７】
入力ステップでは、利用者端末１０を介して助成金・補助金を受けるための診断を行うために助成金・補助金の活用診断テストを実施して情報を入力する（ステップＳ１）。
具体的には、図４及び図５に示したように、利用者は、利用者端末１０を操作して、補助金診断テストを行い、各大項目の質問に対して回答し、さらに小項目の選択肢を選んでいくことにより、補助金診断テストを進めていくことができる。
助成金・補助金の活用診断テストの入力結果は図６に示した通りである。
【００３８】
診断ステップでは、利用者端末１０からの助成金・補助金を受けたい者の診断テストの入力情報に基づいて、助成金・補助金データベース２２を参照して、該当する助成金・補助金を有するか否かを診断し、対象となる助成金・補助金を特定する（ステップＳ２で「Ｙｅｓ」）。
検索ステップでは、会員データベース２１を参照して、診断ステップによる診断結果に基づいて、助成金・補助金を受けて商品又はサービスを提供する提供者がいるか否かを検索し、助成金・補助金を受けて商品又はサービスを提供する提供者を特定する（ステップＳ３で「Ｙｅｓ」）。
【００３９】
検索部２５は、助成金・補助金を受けたい者と助成金・補助金を受けたい者に対して商品又はサービスを提供する提供者とのマッチング度を判定し、判定したマッチング度に応じて助成金・補助金を受けて商品又はサービスを提供する提供者を検索する（ステップＳ４）。
検索部２５は、会社規模、所在地、従業員数、資本金の金額、取扱商品又はサービス及び過去の助成金・補助金の取り扱い件数等のうちの少なくとも一つを用いてマッチング度を判定する。
このとき、検索部２５は、助成金・補助金を受けたい者に対して商品又はサービスを提供する提供者が複数該当する場合、マッチング度に応じて優先順位を決定する。
【００４０】
出力ステップでは、出力部２６は、検索ステップによる検索結果に応じて、図７に示すように、助成金・補助金の情報と、助成金・補助金を受けて商品又はサービスを提供する提供者の情報を助成金・補助金を受けたい者へ出力する。これにより、助成金・補助金を受けたい者は、受けたい助成金・補助金を使って商品又はサービスを提供してくれる者を簡単に知ることができる。
出力部２６は、助成金・補助金を受けて商品又はサービスを提供する提供者が複数存在する場合には、複数の助成金・補助金を受けて商品又はサービスを提供する提供者の情報を含める。また、助成金・補助金を受けて商品又はサービスを提供する者の情報とマッチング度を一緒に出力してもよい。これにより、対象者が複数いる場合に、マッチング度に応じて、どちらがいいかを選ぶことができる。
【００４１】
出力ステップでは、出力部２６は、助成金・補助金を受けて商品又はサービスを提供する提供者に対して、助成金・補助金の情報と、助成金・補助金を受けたい者の情報を出力する。これにより、助成金・補助金を受けて商品又はサービスを提供する提供者は、助成金・補助金を受けて商品又はサービスを提供して欲しい者を知ることができ、この者に対して営業をすることができる。
【００４２】
なお、出力部２６は、利用者端末１０、１１を介して、助成金・補助金を受けたい者及び前記助成金・補助金を受けたい者に商品又はサービスを提供する前記提供者の少なくとも一方に、他方を紹介する紹介状をシステム側から送付する、
例えば、助成金・補助金を受けたい者が利用者端末１０を利用し、補助金を受けたい者に商品又はサービスを提供する提供者が利用者端末１１を利用していたとする。
出力部２６は、過去のマッチングの活動履歴を参照して信用できるものであると判定された場合には、助成金・補助金を受けたい者の利用者端末１０及び助成金・補助金を受けたい者に商品又はサービスを提供する提供者の利用者端末１１に相手方を紹介する紹介状をシステム側から送付する。これにより過去のマッチングの活動履歴に基づいて信頼できる相手方であることを知ることができ、マッチングがよりスムーズに行われる。
【００４３】
図１０（ａ）は、ジャンル一覧画面Ｄ１１、（ｂ）は企業一覧画面Ｄ１２をそれぞれ示す図である。図１１は、メッセージ送信画面Ｄ２１及びメッセージ管理画面Ｄ２２を示す図である。図１２は、メッセージ送信画面Ｄ２３を示す図である。
出力部２６は、助成金・補助金を受けたい者がジャンルを選択するジャンル選択画面Ｄ１１を利用者端末１０、１１のディスプレイに表示する。検索部２５は、ジャンル選択画面Ｄ１１より選択されたジャンルに応じて、会員テーブル２１ａ及びマッチングテーブル２３ａを参照して、マッチング先となる提供者を検索する。出力部２６は、マッチング先となる提供者の候補が掲載される提供者画面Ｄ１２を表示する。
【００４４】
提供者画面Ｄ１２は、メッセージをおくるボタンＳ２が選択されると、図１１に示すように、提供者へメッセージを送信可能な画面Ｄ２１を有する。出力部２６は、送信ボタンＳ３が押されると、画面Ｄ２１に入力されたメッセージを提供者へ送信する。送信したメッセージは、マッチングデータベース２３内のメッセージ管理テーブルに登録される。
【００４５】
マッチングデータベース２３は、提供者へ送信したメッセージを管理する管理部として機能する。図１０（ｂ）の提供者画面Ｄ１２のメッセージボタンＳ１を選択することにより、出力部２６は、図１１に示すように、利用者端末１０、１１のディスプレイに、マッチングデータベース２３が管理するメッセージ管理画面Ｄ２２を表示する。メッセージ管理画面Ｄ２２は、メッセージに対する履歴、メッセージを送付する画面及びメッセージを削除する画面の少なくとも一つを含む。メッセージ管理画面Ｄ２２のメッセージを送る・見るボタンＳ４を選択することにより図１２のメッセージ送信画面Ｄ２３が表示される。また、メッセージに対する履歴として「回答待ち」Ｔ１が表示されている。削除ボタンＳ５を選択することにより提供者を削除することができる。
【００４６】
本実施形態によれば、助成金・補助金を受けたい者と、この補助金・助成金を使って商品又はサービスを提供することができる提供者をマッチングさせることができる。
【００４７】
以上、本発明の好ましい実施形態について詳述したが、本発明に係るマッチングシステム１は上述した実施形態に限定されるものではなく、特許請求の範囲に記載された本発明の要旨の範囲内において、種々の変形、変化が可能である。
【符号の説明】
【００４８】
１  マッチングシステム
１０  利用者端末
１１  利用者端末
２０  マッチングサーバー
２１  会員データベース
２２  助成金・補助金データベース
２３  マッチングデータベース
２４  診断部
２５  検索部
２６  出力部
２７  入力部
【図１】
0006890803.tif 000002
【図２】
0006890803.tif 000003
【図３】
0006890803.tif 000004
【図４】
0006890803.tif 000005
【図５】
0006890803.tif 000006
【図６】
0006890803.tif 000007
【図７】
0006890803.tif 000008
【図８】
0006890803.tif 000009
【図９】
0006890803.tif 000010
【図１０】
0006890803.tif 000011
【図１１】
0006890803.tif 000012
【図１２】
0006890803.tif 000013